(57)【特許請求の範囲】
【請求項１】
島下段上に略水平な天板を支持し、該天板上に複数の遊技機を並設してなる遊技機島において、
フロア上に立設した遊技媒体の研磨揚送装置の両側近傍に、該研磨揚送装置を島中央とする島両側でそれぞれ遊技媒体を貯留して、前記研磨揚送装置の下部に遊技媒体を送る一対の貯留タンクを設置し、
前記一対の貯留タンクのうち少なくとも何れか一方は、島中央側を向く一端部が前記研磨揚送装置の下部の上方に重なるように競り出し、該一端部が遊技機列中の島中央位置に介装される遊技媒体計数機の背面側に近接して配置されるとともに、島中央側を向く一端部から島端側を向く他端部にかけて底面が下方に傾斜するよう形成され、最下端となる他端部に遊技媒体の排出口を設け、該排出口を案内樋を介して前記研磨揚送装置の下部に連通させたことを特徴とする遊技機島。
【発明の詳細な説明】
【０００１】
【発明の属する技術分野】
本発明は、島下段上に略水平な天板を支持し、該天板上に複数の遊技機を並設してなる遊技機島に関する。ここで遊技機とは主としてパチンコ機を指すものである。
【０００２】
【従来の技術】
従来、パチンコ遊技店等の新築や改装に際し、新たに遊技機島を構築するには、先ず見取り図に基づきフロア上に、島全体の骨組ベースとなる島柱を一本毎にアンカーで立設する。そして各々の島柱の水平、垂直を割り出すレベル調整を綿密に行なった後、島中央となる位置に前記島柱にぶつからないよう注意しながらパチンコ球の研磨揚送装置を立設したり、該研磨揚送装置の両側に貯留タンクを配設していた。
【０００３】
ここで両側の貯留タンクは、研磨揚送装置の下部にある左右に出っ張る下部タンク等に干渉しないように、通常研磨揚送装置の両側にて島中央より少し離れた位置にそれぞれ配設していた。その後、島柱を中心とする島の枠組を島全体の高さに合わせて組み上げ、枠組内外に順次、島下段、島中段、それに島上段をなす各種関連設備を組み付ける。先ず最初に島全体の土台となる島下段では、前記研磨揚送装置の下部や貯留タンクを配設する他、外壁をなす腰板やパチンコ機等を載置する天板を組み付けていた。
【０００４】
また島中段では、天板上の枠組にパチンコ機や球貸し機を島前方より嵌め込むようにしてボルト等で固定していた。ここで前記研磨揚送装置の前後となるパチンコ機列中の島中央位置には、遊技者の利便性を考慮し通常は景品球計数機を介装していた。島構築後において、各パチンコ機から排出される球は貯留タンクに受け入れられ、また景品球計数機には一度に多量の球が持ち込まれるが、計数後に貯留タンクに受け入れられていた。
【０００５】
【発明が解決しようとする課題】
しかしながら、前述したような従来の遊技機島では、島下段の骨組ベースともなる島柱を、一本毎にフロア上にアンカーで立設する作業に時間がかかるし、精度出しにも手間を要し、しかも各島柱の水平、垂直を割り出すレベル調整が非常に面倒であるため、施工現場での島の土台作りの段階で多大な労力を要することになり、工期の長期化を招く等して、コスト高を招いていた。
【０００６】
また、各島柱を立設して水平出し等のレベル調整を行なった後で、各島柱で囲まれた枠内に研磨揚送装置を立設したり、貯留タンクを配設するから、狭い範囲内での作業を強いられ、島全体の土台ともなる島下段の施工能率が上がらないと共に、作業中に周りの島柱にぶつかり易く、各島柱のレベル調整を再度行なわなければならない事もあった。
【０００７】
更にまた、従来の遊技機島によれば、景品球計数機から排出された球は、該計数機から長く延びた案内樋を介して貯留タンクに受け渡されるのだが、計数機とタンクの間の距離が離れている関係上、球の受け渡しに手間取り時間もかかった。従って、景品球計数機に一度に多量の球が持ち込まれると、計数済の多量の球を貯留タンク側へ円滑に受け渡すことが難しく、かかる球の排出処理に限界があり、今迄は計数機の計数処理自体の能力を十分に活かし切れなかった。
【０００８】
計数機の計数処理に係る能力を十分に発揮させるべく、島中央の景品球計数機の真下に計数機専用の貯留タンクを別途設けて、一時的にこのタンクに計数済の多量の球を貯留してから、通常の貯留タンクに受け渡すことも考えられるが、タンクを余分に設ける分だけコスト高を招いてしまう。ところで、従来貯留タンクは、研磨揚送装置の下部タンク等に干渉しないように、研磨揚送装置の両側より少し離れた位置に配されていたが、研磨揚送装置の下部上方には特に配設すべき機器もなく、いわゆるデッドスペースになっていた。
【０００９】
本発明は、以上のような従来技術の有する問題点に着目してなされたもので、島全体の土台ともなる島下段の構築作業が極めて簡単であり、能率的に工事を行なうことができ、島全体の工期も大幅に短縮され、コストダウンを図ることができ、また、計数機により計数された遊技媒体を貯留タンクに迅速に受け渡すことができ、計数機の計数処理能力を大幅に向上させることができる遊技機島を提供することを目的としている。
【００１０】
【課題を解決するための手段】
前述した目的を達成するための本発明の要旨とするところは、以下の項に存する。
【００１１】
［１］  島下段（１０Ａ）上に略水平な天板（２６）を支持し、該天板（２６）上に複数の遊技機（１１）を並設してなる遊技機島（１０）において、
フロア上に立設した遊技媒体の研磨揚送装置（５０）の両側近傍に、該研磨揚送装置（５０）を島中央とする島両側でそれぞれ遊技媒体を貯留して、前記研磨揚送装置（５０）の下部に遊技媒体を送る一対の貯留タンク（３０）を設置し、
前記一対の貯留タンク（３０）のうち少なくとも何れか一方は、島中央側を向く一端部が前記研磨揚送装置（５０）の下部の上方に重なるように競り出し、該一端部が遊技機列中の島中央位置に介装される遊技媒体計数機（６０）の背面側に近接して配置されるとともに、島中央側を向く一端部から島端側を向く他端部にかけて底面（３１）が下方に傾斜するよう形成され、最下端となる他端部に遊技媒体の排出口（３５）を設け、該排出口（３５）を案内樋（３６）を介して前記研磨揚送装置（５０）の下部に連通させたことを特徴とする遊技機島（１０）。
【００１６】
次に前述した解決手段に基づく作用を説明する。
１項記載の遊技機島（１０）によれば、各貯留タンク（３０）のうち少なくとも何れか一方は、島中央側を向く一端部が前記研磨揚送装置（５０）の下部の上方に重なるように競り出すから、従来デッドスペースだった研磨揚送装置（５０）の下部上方も遊技媒体の貯留スペースとして有効に活用でき、貯留タンク（３０）の一端部が研磨揚送装置（５０）の下部に干渉することなく、島中央位置に近づくことになる。
【００２０】
この貯留タンク（３０）の一端部を、遊技機列中の島中央位置に介装される遊技媒体計数機（６０）の背面側に近接させることで、計数機（６０）とタンク（３０）の間の距離が縮まり、計数機（６０）からタンク（３０）への遊技媒体の受け渡しを迅速に効率良く行なえる。従って、計数機（６０）に一度に多量の遊技媒体が持ち込まれても、計数済の多量の遊技媒体を貯留タンク（３０）側へ短時間に受け渡すことができ、かかる排出処理との関係上従来は抑えられていた遊技媒体計数機（６０）の計数処理能力を十分に活かし切ることができる。
【００２１】
そして、１項記載の遊技機島（１０）によれば、前記遊技媒体計数機（６０）の背面側に一端部が近接する貯留タンク（３０）を、島中央側を向く一端部から島端側を向く他端部にかけて底面（３１）が下方に傾斜するよう形成したので、遊技媒体計数機（６０）から一度に多量の遊技媒体が貯留タンク（３０）の一端部に導入されても、遊技媒体が島中央寄りの一端部に過度に集中してしまうことなく、島端側の他端部にかけてうまく分散される。そして、貯留タンク（３０）の最下端となる他端部まで底面（３１）上を流下した遊技媒体は、排出口（３５）から案内樋（３６）を介して研磨揚送装置（５０）の下部にスムーズに案内される。
【００２５】
【発明の実施の形態】
以下、図面に基づき本発明を代表する各種実施の形態を説明する。
図１〜図９は本発明の第１の実施形態を示している。
図３および図４に示すように、遊技機島１０は、島土台となる島下段１０Ａに略水平な天板２６を支持し、該天板２６上に複数のパチンコ機（遊技機）１１を背中合わせに２列に並設して島中段１０Ｂを構築し、島中段１０Ｂの上に島上段１０Ｃを配置してなる。
【００２６】
島全体の土台となる島下段１０Ａは、予め組み立てられた島下段枠組２０を主要部としており、図２に示すように、施工の際は先ずフロア上に研磨揚送装置５０を立設し、その両側近傍にパチンコ球を貯留する一対の貯留タンク３０Ａ，３０Ｂを設置し、島下段枠組２０を各貯留タンク３０Ａ，３０Ｂの上から被せるようにフロア上に設置してなる。ここで島下段枠組２０は、その上端側が水平になるよう配設状態が調節されており、上端側に略水平な天板２６が支持されている。また、島下段枠組２０の側面側には、後から腰板２９が装着される。
【００２７】
図６および図７に示すように、島下段枠組２０は、角柱部材を組合せて島長手方向に延びた立方体形状に組み立てられ、その下端となり島長手方向に延びた両側の角柱部材２１，２１には、所定間隔おきにフロアに接地した際の高さ位置を調節するアジャスター２３が複数設けられている。図８に示すように、アジャスター２３は、島下段枠組２０の上端側が水平になるよう配設状態を調節するためのものであり、角柱部材２１に固設するナット２４と、該ナット２４に回転可能に螺合して、上端のハンドル２５ａの回転操作により、下端のバンカー２５ｂの相対的な高さ位置を調整できるスクリュー２５とから構成されている。
【００２８】
島下段枠組２０の上端となり島長手方向に延びた両側の角柱部材は一対の嵌合レール２２，２２となっている。図３および図５に示すように、天板２６の下面部には、前記島下段枠組２０の一対の嵌合レール２２，２２が嵌合する一対の嵌合溝２７，２７が形成されており、この天板２６の嵌合溝２７を島下段枠組２０の嵌合レール２２に嵌込むようにして、天板２６は島下段枠組２０上に一体的に支持されている。天板２６の中央部には長手方向に延びる開口溝２８が形成され、開口溝２８の両脇には、各パチンコ機１１に対応するアウト球タンク１９が配設されている。
【００２９】
図１および図２に示すように、一対の貯留タンク３０Ａ，３０Ｂは、何れも島中央側を向く一端部が研磨揚送装置５０の下部の上方に重なるように競り出し、各一端部がパチンコ機列中の島中央位置に介装される景品球計数機（遊技媒体計数機）６０の背面側に近接して配置されている。詳しく言えば、貯留タンク３０Ａは、島長手方向に傾斜して延びる底面部３１と、島中央側を向く前壁３２、島端側を向く後壁３３、それに両側壁３４とから箱型に形成され、略水平な上面側は大きく開口し、各パチンコ機１１から排出された球を受入れられるようになっている。
【００３０】
貯留タンク３０Ｂも、前記貯留タンク３０Ａとほぼ同様の構成であるが、貯留タンク３０Ａよりも多少全長が短く設定されている。また、何れの貯留タンク３０Ａ，３０Ｂも、島中央側を向く一端部から島端側を向く他端部にかけて底面部３１が下方に傾斜するよう形成され、最下端となる後壁３３下側には排出口３３ａが開設され、該排出口３３ａは案内樋３６を介して研磨揚送装置５０の下部タンク５１に連通接続されている。なお、貯留タンク３０Ａ，３０Ｂは、支持脚３５によってフロア上に直接支持されている。
【００３１】
研磨揚送装置５０は、前記貯留タンク３０Ａ，３０Ｂ内の球を島上段１０Ａ側へと研磨しながら揚送するための装置である。研磨揚送装置５０の下部はベースカバー５４で覆われている。詳しく言えば、研磨揚送装置５０は、下部タンク５１にて、球と研磨材貯留部５２に貯留された研磨材とを混合し、この混合物を移送管５３を介して研磨筒５５の下端に送り、研磨筒５５内にて上下に延びる螺旋体の回転駆動により球と研磨材を混合しながら揚送する装置である。研磨筒５５の上端には、球と研磨材とを分離する機構を備えた上部タンク５６が配設されている。
【００３２】
天板２６の下面部には、島両側にてそれぞれ一対ずつ延びる回収樋４０が配設されている。島両側における一対の回収樋４０，４０は、各パチンコ機列に対応して互いに平行に延びつつ、島端に位置する始端側から島中央へ向う終端側にかけて下方へ傾斜するように、天板２６の下面部に支持部材等を介して取付けられている。各回収樋４０は、複数のパチンコ機１１から排出された球を各パチンコ機列別にそれぞれ回収するため、従来の幅広の回収樋に比して容量的には小さくてすむ。
【００３３】
すなわち、図３および図５に示すように、回収樋４０を幅狭で小さな流路面積に構成しても、球の受入れ能力に何ら支障を来さず、球を効率よく流下させることができることが確かめられている。各回収樋４０の終端口４１は、研磨揚送装置５０の両側に配された貯留タンク３０Ａ，３０Ｂに連通接続している。
【００３４】
図３および図５に示すように、島中段１０Ｂは、前記天板２６上に所定間隔おきに立設されて島上段１０Ｃを下から支える複数の中段支持体１６，１６…と、各中段支持体１６を間にして背中合わせに前後２列に配設される複数のパチンコ機１１とから構成されている。中段支持体１６は、その下端を天板２６の上面部にビス止めしたり、あるいは天板２６の上面部にアリ溝を切削し、このアリ溝に中段支持体１６の下端を嵌合させてビス止めしてもよい。また、各中段支持体１６は、それらの間に架設された複数のパイプ部材１７，１７…により互いに連結されている。
【００３５】
パチンコ機１１は、ハンドルの回転操作によってパチンコ球を盤面上に打ち出し、打球の入賞を競い楽しむものである。また、各パチンコ機１１間には球貸し機１１Ａが介装されている。この球貸し機１１Ａは、後述する貨幣識別装置７７からの信号を受けた際に、相当数の球を計数しつつ払い出す関連機器である。
【００３６】
図５に示すように天板２６上には、前記中段支持体１６を間にした前後位置に、各パチンコ機１１の下端が所定範囲で前後左右に移動可能に支持される載置レール１２が設けられている。載置レール１２の奥側にはパチンコ機１１下端が島長手方向に移動可能に嵌合する突起１２ａが突設されており、また載置レール１２の手前側は球貯留箱台となっている。また、後述する島上段１０Ｃの支持基板７１には、各パチンコ機１１の上端に突設した被嵌合レール１１ａが前後方向に回動可能かつ島長手方向にも移動可能に内嵌する吊下レール１４が設けられている。
【００３７】
吊下レール１４は略Ｃ字形断面であり図５の紙面に垂直に延びており、かかる吊下レール１４は、島上段１０Ｃの支持基板７１に島奥行方向にスライド可能に装着された上方ブラケット１３に対して、高さ位置を調整できるようねじ軸を介して吊下げられている。更に上方ブラケット１３には、上下に進退可能なねじ状の角度調整部材１５が螺合している。この角度調整部材１５は、各パチンコ機１１上端の前端縁側を適度に押圧することにより、前記被嵌合レール１１ａを回動中心とした各パチンコ機１１の微妙な傾き角度を調整するための部材である。
【００３８】
載置レール１２の下面にはスプリング付きベアリング（図示せず）が取付けられており、かかる載置レール１２は、天板２６上を島長手方向及び島奥行方向に移動できるようになっている。また、スプリングの弾性変形により、載置レール１２上のパチンコ機１１下端は、その傾斜角度に応じて略水平面に対して適宜変位できるように設定されている。なお、島上段１０Ｃの荷重は、中段支持体１６のみならず前後２列に配設された各パチンコ機１１でも受けるように構成されている。
【００３９】
研磨揚送装置５０の前後に位置するパチンコ機列中の中央位置には、景品球計数機６０が介装されている。景品球計数機６０は、遊技客が球受部６２に投入した景品球を内部の球計数機やコンピューターで計数し、その結果を表示部６１に目視可能に表示したり、計数された球数を印刷したレシート、あるいはリサイクルカードを払い出すための関連機器である。
【００４０】
景品球計数機６０の背面側下端には、計数済の球を排出する球出口６３が設けられており、この球出口６３は前述した一対の貯留タンク３０Ａ，３０Ｂの島中央側を向く一端部に近接している。図２に示すように、景品球計数機６０の球出口６３は、従来に比べて極めて短く設定された案内樋６４を介して、各貯留タンク３０Ａ，３０Ｂの一端部に連通接続されている。
【００４１】
島上段１０Ｃは、パチンコ機列上に沿って延びる支持基板７１と、該支持基板７１上に所定間隔おきに島長手方向と略直交するよう垂設される複数の仕切板７２と、各仕切板７２間に架設されるパイプ部材７３とから予め組み立てた島上段枠組７０からなる。島上段枠組７０には各種遊技関連設備が組み付けられており、その外側を覆うように幕板８０が装着されている。
【００４２】
図５および図９に示すように、前記島上段枠組７０の各仕切板７２の両側部間には、それぞれ２本ずつ蛍光灯８４が架設されている。各仕切板７２は蛍光灯８４の取付ブラケットの役目も果している。また、仕切板７２の略中央には、給配樋９０が上下に移動可能に挿通する中空部７２ａが形成されている。給配樋９０は、各パチンコ機１１へ球を供給する部材である。
【００４３】
また、仕切板７２には、中空部７２ａに挿通させた給配樋９０を所望の高さ位置に支持するための樋支持部材７２ｂが装着されている。給配樋９０の途中箇所には、図示省略したが各パチンコ機１１および各球貸し機１１Ａに対応した配給シュートと称される球の供給部材が取付けられている。
【００４４】
仕切板７２間に架設された複数のパイプ部材７３には、それぞれ長手方向に延びるスリットが形成され、該スリットよりパイプ部材７３内に関連設備の各種信号線が束ねられるように収納されている。また、島上段１０Ｃの島上段枠組７０には、前記給配樋９０の他、貨幣識別装置７７や貨幣搬送装置７８等の関連設備も組み付けられている。
【００４５】
貨幣識別装置７７は、紙幣や硬貨の投入口７９に投入された紙幣や貨幣を磁気・光方式で特定する各種センサの他、ＣＰＵ，ＲＡＭ，ＲＯＭ等を含むマイクロコンピューターを備えている。貨幣搬送装置７８は、前記貨幣識別装置７７から排出された紙幣や硬貨を搬送するために、島長手方向に延びるように張設されるコンベヤベルトを具備して成る。
【００４６】
幕板８０は、所定の長さに設定された幕板ユニット８１に分割されており、各幕板ユニット８１を島長手方向に複数連設して、前記島上段枠組７０や関連設備に単に被せるようにして支持基板７１上に装着できるように形成されている。図５に示すように、幕板ユニット８１は、前記島上段枠組７０を前後から覆う一対のパネル体８２，８２を備え、島上段１０Ｃの最頂端に向って延びた各パネル体８２の上端縁同士をヒンジ８３で互いに開閉可能に連結して成る。
【００４７】
更に詳しく言えば、各パネル体８２は、それぞれ下端縁から上端縁に向って弧状に湾曲した正面パネル８２ａと背面パネル８２ｂ、それに両側板８２ｃ，８２ｃから組立てられている。正面パネル８２ａと背面パネル８２ｂは、ともに透明アクリル樹脂等の透光性を有する材質で成形されている。相対向する各パネル体８２の上端縁は、軸ピンを挿通した円筒管から成るヒンジ８３で互いに開閉可能に連結されている。
【００４８】
また、各パネル体８２の要所には、各パチンコ機１１毎に対応して設けられた貨幣識別装置７７の投入口７９が挿通可能な嵌合溝８２ｄが予め開設されている。幕板ユニット８１は、前後のパネル体８２，８２を島上段１０Ｃの島上段枠組７０上に覆い被せ、ヒンジ８３を各仕切板７２の上端に設けた切欠部７４に嵌合させることで簡単に装着できるようになっている。なお、各パネル体８２の下端縁は少し平面状に広がる面積を備え、図示省略した簡易ロック機構によって支持基板７１上に動かぬように固定したり、必要に応じて外したりできるようになっている。
【００４９】
次に本遊技機島１０の構築方法について説明する。
図２において先ず研磨揚送装置５０を立設し、続いて研磨揚送装置５０の両側近傍に一対となる貯留タンク３０Ａ，３０Ｂを最初に設置してしまう。そして後から、図１に示すように、予め工場等で組立てておいた島下段枠組２０を、前記各貯留タンク３０Ａ，３０Ｂの上から単に被せるようにフロア上に設置し、該島下段枠組２０の上端である嵌合レール２２が水平になるよう配設状態を調節すればよい。
【００５０】
図７に示すように島下段枠組２０は、角柱部材を組合せて島長手方向に延びた立方体形状に組み立てられるから、構造的に極めて簡易であり十分な剛性も備えた単体ユニットとすることができる。島下段枠組２０の下端となる角柱部材２１の要所にはアジャスター２３を設けたから、上端の嵌合レール２２が水平になるように簡易かつ確実にレベル調整できる。この時の水平の出し方は、従来よりある水平調節器具や光センサー等を用いながら、図８に示すアジャスター２３のハンドル２５ａを回転させて、アンカー２５ｂの高さ位置を適宜調節することによって行なう。
【００５１】
以上で島全体の土台をなす島下段１０Ａはほぼ構築される。この場合、島全体の骨組ベースとなる島下段枠組２０の設置作業が極めて簡単となる。島下段枠組２０は予め組み立てられ単体ユニットをなすから、従来の如く施工現場における枠組構成部材間の精度出しも不要となり、各枠組構成部材を逐一水平にするようなレベル調整の手間も省ける。
【００５２】
また、フロア上に島の骨組等が一切ない状態で、研磨揚送装置５０を立設したり、貯留タンク３０Ａ，３０Ｂを配設するから、これらの作業を広いスペースで骨組等との干渉を気にすることなく行なうことができる。このように、従来施工現場で最も時間のかかった島下段１０Ａの組み立てが極めて簡易かつ容易となり、施工時間を大幅に短縮することができる。
【００５３】
島下段枠組２０の上端側には略水平な天板２６を支持する。図３および図５に示すように、天板２６の下面部には、前記島下段枠組２０の一対の嵌合レール２２，２２が嵌合する一対の嵌合溝２７，２７を形成したから、嵌合レール２２に嵌合溝２７を一体的に嵌込むだけで、天板２６の組付け作業は簡単に行なうことができる。
【００５４】
続いて、天板２６の下面部には一対の回収樋４０，４０を取付ける。ここでは天板２６自体を回収樋４０の支持基板７１として活用でき、また、各回収樋４０は天板２６の下面部近傍に沿うので、島下段１０Ａ内部にて各回収樋４０が邪魔にならない空きスペースを確保することができる。なお、一対の回収樋４０，４０は１本として構成しても構わないが、本実施形態の如くパチンコ機列に対応させて一対設ければ後述する効果が得られる。
【００５５】
図３および図９に示すように、島下段１０Ａの天板２６上には複数の中段支持体１６，１６…を立設する。各中段支持体１６は、その下端を天板２６の上面部に直接ビス止めしたり、あるいは天板２６の上面部にアリ溝を切削し、このアリ溝に中段支持体１６の下端を嵌合させてビス止めするとよい。また、各中段支持体１６間には、パイプ部材１７を架設して互いに連結させる。
【００５６】
各中段支持体１６により、島下段１０Ａと島上段１０Ｃとの間に極めて簡易に、前後２列に並ぶ各パチンコ機１１の取付けスペースを確保することができる。ここで各中段支持体１６は、あくまで背中合わせに並ぶ各パチンコ機列間に配されるので、たとえ各パチンコ機１１の横幅や背面側の出っ張り具合等が多少異なっていても、従来の定形的な枠組の如く、枠組自体がパチンコ機１１の組付け作業に支障を来す虞れはない。従って、島中段１０Ｂの構造は極めて簡易となり、パチンコ機１１の組付け作業も容易となる。
【００５７】
各中段支持体１６上には、天板２６上にパチンコ機１１を並設する前に、各中段支持体１６上には島上段１０Ｃを安定した状態で設置することができる。島上段１０Ｃの島上段枠組７０も、前記島下段１０Ａの島下段枠組２０と同様に、独立の構造体として工場等で規格化して量産することができる。すなわち、島上段枠組７０は、搬入に十分耐え得る剛性を備えるように組立てられ、予め蛍光灯８４や給配樋９０等の各種関連設備を組み付けておくことができる。また、遊技店等の施工現場へはユニットとして容易に搬入でき、施工現場では図３に示す如く各中段支持体１６上に積み上げるようにして、簡単に設置できる。
【００５８】
島中段１０Ｂをなす各パチンコ機１１の取付けは、その上端にある被嵌合レール１１ａを前記島上段１０Ｃ側の吊下レール１４に嵌合させ、また、各パチンコ機１１の下端を天板２６上の載置レール１２上に設置すればよい。パチンコ機１１上端の被嵌合レール１１ａは、吊下レール１４に嵌合した状態でレール長手方向に移動可能であり、また、パチンコ機１１下端も載置レール１２上を島長手方向に移動できる。従って、各パチンコ機１１を移動させつつ、島端から順次並ぶように配置させることができる。
【００５９】
各パチンコ機１１を適所に配置させた後、島上段１０Ｃ側の上方ブラケット１３に螺合する角度調整部材１５によりパチンコ機１１上端の前端縁側を適度に押圧すれば、パチンコ機１１は前記吊下レール１４に嵌合している被嵌合レール１１ａを回動中心として微妙に傾動するため、パチンコ機１１の傾き角度を容易に調整することができる。
【００６０】
更に、前記上方ブラケット１３は、島上段１０Ｃの支持基板７１に対して島奥行方向に一定範囲でスライド可能であり、しかも前記載置レール１２は天板２６上を島奥行方向に移動できる。従って、各パチンコ機１１をそれぞれ島奥行方向における最適な位置に後から調整することができる。なお、島上段１０Ｃの荷重は、各中段支持体１６のみならず２列の各パチンコ機１１でも受けられるから、島上段１０Ｃの荷重が分散される分、中段支持体１６に過度に荷重が集中するのを防ぐことができる。
【００６１】
最後に、島上段１０Ｃの外壁をなす幕板８０を設置するには、各幕板ユニット８１毎に、一対のパネル体８２，８２を前記島上段枠組７０の前後を覆うように上から被せ、各パネル体８２の連結箇所にあるヒンジ８３を各仕切板７２の上端の切欠部７４に嵌合させればよい。このような簡易な幕板８０により、島上段１０Ｃを全体的に囲んで、その島上段枠組７０内に配設した給配樋９０や貨幣識別装置７７等の関連設備を隠蔽することができる。
【００６２】
次に島構築後における作用を説明する。
図２に示すように、各貯留タンク３０Ａ，３０Ｂは何れも、島中央側を向く一端部が研磨揚送装置５０の下部（ベースカバー５４）の上方に重なるように競り出すから、従来デッドスペースだった研磨揚送装置５０の下部上方も球の貯留スペースとして有効に活用でき、貯留タンク３０Ａ，３０Ｂの一端部が研磨揚送装置５０の下部に干渉することなく、島中央位置に近づくことになる。
【００６３】
各貯留タンク３０Ａ，３０Ｂの一端部を、パチンコ機列中の島中央位置に介装された景品球計数機６０の背面側に近接させることで、計数機６０とタンク３０Ａ，３０Ｂとを結ぶ案内樋６４を極力短くすることが可能で、計数機６０の球出口６３からタンク３０Ａ，３０Ｂへの球受け渡しを迅速に効率良く行なえる。従って、景品球計数機６０に一度に多量の球が持ち込まれても、計数済の多量の球を貯留タンク３０Ａ，３０Ｂ側へ短時間に受け渡すことができ、かかる排出処理との関係上従来は抑えられていた景品級計数機６０の計数処理能力を十分に活かし切ることができる。
【００６４】
また、パチンコ機１１から直接排出された球は、天板２６上のアウト球タンク１９に一旦貯留された後、真下に位置する各回収樋４０内にそれぞれ落下する。各回収樋４０は、それぞれパチンコ機列別にパチンコ機１１から排出された球を回収するため、従来技術の如く島幅方向に広がるような幅広で１本だけ延びるような回収樋に比して、容量的には小さく設計できる。すなわち、図３に示すように、各回収樋４０を幅狭で小さな流路面積に設定することが可能となる。
【００６５】
各回収樋４０に回収された球は、その幅狭の底面上をむやみに広がることなく、むしろ幅広の回収樋に比して効率良く下流側へ流下する。このように各回収樋４０上を流下した球は、終端口４１が連通接続している貯留タンク３０Ａ，３０Ｂにそのまま受け渡される。何れの貯留タンク３０Ａ，３０Ｂも、島中央側を向く一端部から島端側を向く他端部にかけて底面部３１が下方に傾斜するよう形成したので、景品球計数機６０から一度に多量の球が貯留タンク３０の一端部に導入されても、球が島中央寄りの一端部に過度に集中してしまうことなく、島端側の他端部にかけてうまく分散される。
【００６６】
貯留タンク３０Ａ，３０Ｂの最下端となる他端部まで底面部３１上を流下した球は、排出口３５から案内樋３６を介して研磨揚送装置５０の下部タンク５１ヘスムーズに受け渡される。そして、研磨揚送装置５０の下部タンク５１に取込まれた球は、研磨されつつ島上段１０Ｃまで揚送され、給配樋９０内を流下して再び各パチンコ機１１へ供給される。島上段１０Ｃの外壁をなす幕板８０は、その一対のパネル体８２，８２をヒンジ８３を回動中心として、大きく上方まで開くことができる。それにより、島上段１０Ａ内部の最頂端付近をも、パネル体８２の開閉だけで容易に直接覗いて点検したり、メンテナンスを行うことも可能となる。
【００６７】
図１０は本発明の第２の実施の形態を示している。
本実施の形態では、各貯留タンク３０Ｃ，３０Ｄを、それらの島中央側に位置する一端部同士を互いに連通するよう一体成形している。すなわち、各貯留タンク３０Ｃ，３０Ｄには前壁３４はなく、連結部分は研磨揚送装置５０の下部上方に競り出すと共に、研磨筒５５等に干渉しないように位置をずらして配されている。また、各貯留タンク３０Ｃ，３０Ｄの連結部分に研磨筒５５等の挿通する中空部を形成してもよい。
【００６８】
このように各貯留タンク３０Ｃ，３０Ｄは、それぞれの島中央側に位置する一端部同士が互いに連通するよう一体成形されたから、パチンコ球の貯留容量をより一層と大きくすることができる。なお、前記第１の実施の形態と同種の部位については同一符号を付し、重複した説明は省略する。
【００６９】
なお、本発明に係る遊技機島の具体的構成は、前記実施の形態にて図示したものに限定されるものではない。例えば、貯留タンクの配置や形状は様々なバリエーションが考えられるものである。図１１に一例を示すように、前記第１の実施の形態における片方の貯留タンク３０Ｂを前後逆向きとなるように配置させてもよい。すなわち、必ずしも両側の貯留タンクの一端部が研磨揚送装置の下部上方に重なるように競り出す必要はなく、何れか一方のみでもかまわない。また、遊技機はパチンコ機に限定されるものではなく、コインやメダルを遊技媒体とするスロットマシンであってもよい。
【００７０】
【発明の効果】
本発明に係る遊技機島によれば、遊技媒体計数機により計数された遊技媒体を貯留タンクに迅速に受け渡すことができ、計数機の計数処理能力を大幅に向上させることができる。
また、前記遊技媒体計数機の背面側に一端部が近接する貯留タンクを、島中央側を向く一端部から島端側を向く他端部にかけて底面が下方に傾斜するよう形成したので、遊技媒体計数機から一度に多量の遊技媒体が貯留タンクの一端部に導入されても、遊技媒体が島中央寄りの一端部に過度に集中してしまうことなく、島端側の他端部にかけてうまく分散される。そして、貯留タンクの最下端となる他端部まで底面上を流下した遊技媒体は、排出口から案内樋を介して研磨揚送装置の下部にスムーズに案内することができる。
【図面の簡単な説明】
【図１】第１の実施の形態に係る遊技機島の製造工程において、フロア上に研磨揚送装置と貯留タンクを設置した状態を示す正面図である。
【図２】第１の実施の形態に係る遊技機島の製造工程において、島下段枠組を各貯留タンクの上から被せるようにフロア上に設置した状態を示す正面図である。
【図３】第１の実施の形態に係る遊技機島のフレーム構造を示す斜視図である。
【図４】第１の実施の形態に係る遊技機島を示す正面図である。
【図５】第１の実施の形態に係る遊技機島を示す断面図である。
【図６】第１の実施の形態に係る遊技機島の島下段枠組の拡大斜視図である。
【図７】第１の実施の形態に係る遊技機島の島下段枠組の全体を示す斜視図である。
【図８】第１の実施の形態に係る遊技機島の島下段枠組のアジャスターを示す正面図である。
【図９】第１の実施の形態に係る遊技機島のフレーム構造を示す正面図である。
【図１０】第２の実施の形態に係る遊技機島の製造工程において、島下段枠組を各貯留タンクの上から被せるようにフロア上に設置した状態を示す正面図である。
【図１１】他の実施の形態に係る遊技機島の製造工程において、島下段枠組を各貯留タンクの上から被せるようにフロア上に設置した状態を示す正面図である。
【符号の説明】
１０…遊技機島
１０Ａ…島下段
１０Ｂ…島中段
１０Ｃ…島上段
１１…パチンコ機
２０…島下段枠組
２６…天板
３０Ａ，３０Ｂ，３０Ｃ，３０Ｄ…貯留タンク
３６…案内樋
４０…回収樋
５０…研磨揚送装置
６０…景品球計数機
６４…案内樋
【図１】
0003980097.tif 000002
【図２】
0003980097.tif 000003
【図３】
0003980097.tif 000004
【図４】
0003980097.tif 000005
【図５】
0003980097.tif 000006
【図６】
0003980097.tif 000007
【図７】
0003980097.tif 000008
【図８】
0003980097.tif 000009
【図９】
0003980097.tif 000010
【図１０】
0003980097.tif 000011
【図１１】
0003980097.tif 000012